(57)【要約】【課題】  スライスした毛髪を挟持しつつ折り畳み、所望の時間保持して、前記毛髪に蛇行した波形形状（波ウェーブ）、特に緩やかに蛇行した波形形状を付与するパーマネント（波パーマ、波ウェーブパーマ）施術用具を提供する。【解決手段】  適度の可撓性を有して折り畳むことが可能な、略矩形状の２枚のシートを備え、前記２枚のシートは、一方の短辺部が互いに揃うようにして上下に重ねられて、前記一方の短辺部において接着固定されており、前記一方の短辺部が互いに揃うようにして上下に重ねられた２枚のシートには、それぞれ複数の小貫通孔が、上下互いに若干重なり合うか、または上下互いに重なり合わないように形成されている。【選択図】  図１５
2019129952.tif 000002
【特許請求の範囲】
【請求項１】
スライスした毛髪を挟持しつつ折り畳み、所望の時間保持して、前記毛髪に蛇行した波形形状を付与するパーマネント施術用具であって、
適度の可撓性を有して折り畳むことが可能な、略矩形状の２枚のシートを備え、
前記２枚のシートは、互いに一方の短辺部が揃うようにして上下に重ねられて、前記一方の短辺部において接着固定されており、
前記互いに一方の短辺部が揃うようにして上下に重ねられた２枚のシートには、それぞれ複数の小貫通孔が、上下互いに若干重なり合うか、または上下互いに重なり合わないように形成されていることを特徴とする、前記パーマネント施術用具。
【請求項２】
前記２枚のシートの接着固定された一方の短辺部と、前記２枚のシートのうち長手方向の長さが長い方のシートの、接着固定された一方の短辺部側とは反対側に位置する他方の短辺部の、それぞれの両端近傍には、輪ゴム掛け用の掛止溝が形成されていることを特徴とする、請求項１に記載のパーマネント施術用具。
【請求項３】
前記２枚のシートのうち長手方向の長さが長い方のシートにおいて、接着固定された一方の短辺部側とは反対側の、他方の短辺部には、毛髪の折れを防止する、略波形形状が連続した凹凸部が形成されていることを特徴とする、請求項１または請求項２に記載のパーマネント施術用具。
【請求項４】
前記２枚のシートは、長手方向の長さが同じ長さになるように形成され、互いに一対の短辺部がいずれも揃うようにして上下に重ねられて、前記一対の短辺部のいずれか一方の短辺部において接着固定されており、前記互いに一対の短辺部がいずれも揃うようにして上下に重ねられた２枚のシートには、それぞれ複数の小貫通孔が、上下互いに若干重なり合うか、または上下互いに重なり合わないように形成されていることを特徴とする、請求項１に記載のパーマネント施術用具。
【請求項５】
前記２枚のシートの前記一対の短辺部の、いずれも両端近傍には、輪ゴム掛け用の掛止溝が形成されていることを特徴とする、請求項４に記載のパーマネント施術用具。
【請求項６】
前記互いに一対の短辺部がいずれも揃うようにして上下に重ねられた２枚のシートにおいて、接着固定された一方の短辺部側とは反対側の、他方の短辺部の端には、毛髪の折れを防止する、略波形形状が連続した凹凸部が、上下互いに若干重なり合うか、または上下互いに重なり合わないように形成されていることを特徴とする、請求項４または請求項５に記載のパーマネント施術用具。
【請求項７】
前記複数の小貫通孔の孔径Ｌが、０．３ｍｍ≦Ｌ≦１２．５ｍｍであることを特徴とする、請求項１から請求項６のいずれか一項に記載のパーマネント施術用具。
【発明の詳細な説明】
【技術分野】
【０００１】
本発明は、毛髪に対し、一般に「波ウェーブ」と言われる、蛇行した波形形状を付与するパーマネント施術用具、いわゆる「波パーマ」施術用具に関し、より詳細には、スライスした毛髪を挟持しつつ折り畳み、所望の時間保持して、前記毛髪に蛇行した波形形状を付与するパーマネント施術用具に関する。
【背景技術】
【０００２】
ヘアスタイルの自由度を高めたいというニーズが増す昨今、従来、毛髪に多様なカールやウェーブを施すための様々な技術が開発されている。例えば、髪に巻いて巻き癖をつけるパーマネント用毛髪巻き付け具（特許文献１）、渦巻き状に巻回されるシート状基体に毛髪を巻き付けまたは巻き込んで、毛髪にカールやウェーブを付与する毛髪カール・ウェーブ付け用シート（特許文献２）、毛束に巻いた際、パーマネントウェーブ用剤（薬液）を吸収するとともに吸収したパーマネントウェーブ用剤（薬液）を毛束に浸透させるパーマ用カーラー（特許文献３）、ロール状の巻付方向に付勢力を保持した板バネに、二面の通気性のある素材を使用したシートを接着して、頭髪を挟み込み保持するヘアカーラー（特許文献４）、パーマネントウェーブ用剤（薬液）に対する透過機能を備えて適度の可撓性を有し、ベースシート体とフイルム状のカバーシート体とからなるパーマ美容用頭髪保持具（特許文献５）などが開示されている。
【０００３】
一方、近年、「波ウェーブ」と称されるヘアアレンジが流行している。毛髪に対して蛇行した波形形状、特に緩やかに蛇行した波形形状を施したヘアアレンジであるが、従来、パーマネントにより毛髪にカールやウェーブを付与する場合、専らカーリングロッドやヘアカーラーが用いられていたため、「巻く」ことはできても「折り畳む」ことが困難であった。それ故、毛髪にスパイラル状のカールやウェーブを施すことは可能であっても、蛇行した波形形状（波ウェーブ）、特に緩やかな「波ウェーブ」を施すことは困難であったため、「波ウェーブ」を施したいという場合は、カール用のヘアアイロン（いわゆる「コテ」）を用いて施すといった、加熱処理による施術が一般であり、従来技術ではパーマネントとしての施術、すなわち「波パーマ」や「波ウェーブパーマ」と称されるパーマネントの施術は困難であった。
【先行技術文献】
【特許文献】
【０００４】
【特許文献１】特開平１０−２５７９１５号公報
【特許文献２】特開２００９−５０３０２号公報
【特許文献３】特開２０１５−１３６３８２号公報
【特許文献４】特開２００７−３１９５１７号公報
【特許文献５】特開２０１０−０２９３４８号公報
【発明の概要】
【発明が解決しようとする課題】
【０００５】
特許文献１に開示されているパーマネント用毛髪巻き付け具の場合、多数の孔が形成された可撓性を有する金属箔に、吸水シートが貼り合わされた１枚のシートからなっており、特許文献１に記載されている通り、当該巻き付け具を毛髪に巻き付けることによって毛髪を「巻く」ことは可能であっても「折り畳む」こと自体が困難であるため、蛇行した波形形状（波ウェーブ）を付与するパーマネント（波パーマ、波ウェーブパーマ）の施術は困難である。特許文献２に開示されている毛髪カール・ウェーブ付け用シートおよび特許文献３に開示されているパーマ用カーラーの場合もまた、それぞれ、多数の小孔が形成されたシート状基体の一側面に多数の線状突起が配設された１枚のシート、あるいはパーマネントウェーブ用剤（薬液）を吸収するとともに可撓性を有するシート材に、変形した形状を保持可能な曲げ部材が配設された１枚のシートからなっており、特許文献１に開示されているパーマネント用毛髪巻き付け具と同様、これらを毛髪に巻き付けることによって毛髪を「巻く」ことは可能であっても「折り畳む」こと自体が困難であるため、いわゆる「波パーマ」、「波ウェーブパーマ」の施術は、やはり困難である。
【０００６】
一方、特許文献４に開示されているヘアカーラーの場合、板バネに通気性豊かなシートを接着したものであり、頭髪を挟み込んで保持するものであるが、板バネが基板であるために、特許文献４に記載されている通り、一方向へ「巻く」ことは可能であっても、「折り畳む」こと自体はやはり困難であるうえ、特許文献４の記載からして、当該ヘアカーラーをパーマネントの施術に供するということが想定されておらず、当該ヘアカーラーをパーマネントの施術に用いた場合、通気性豊かなシートの側からパーマネントウェーブ用剤（薬液）のほとんどが流出してしまい、必要量のパーマネントウェーブ用剤（薬液）を保持することが困難であるため、いわゆる「波パーマ」、「波ウェーブパーマ」の施術は、やはり困難である。
【０００７】
他方、特許文献５に開示されているパーマ美容用頭髪保持具の場合、ベースシートとカバーシートからなっており、いずれもパーマネントウェーブ用剤（薬液）に対する耐性を有するとともに、パーマネントウェーブ用剤（薬液）が適宜透過するように、多数の小透孔を穿設したものやメッシュ状の素材が使用されて、ベースシートに毛髪をセットした後、ベースシートの突条部とカバーシートで閉じて扁平筒状の空間を形成し、毛髪をその扁平筒状の空間内に挟んで保持するというものであるが、特許文献５の記載からして、一方向へ「巻く」ことが前提とされているのであって、「折り畳む」ことが想定されていないため、当該パーマ美容用頭髪保持具を、いわゆる「波パーマ」、「波ウェーブパーマ」の施術に用いた場合、「巻く」のではなく「折り畳む」が故に折り畳み部分のＲが急になって、必要量のパーマネントウェーブ用剤（薬液）を保持することが難しいうえ、折り畳み部分でどうしてもカバーシートが浮いてしまうという問題がある。
【０００８】
そこで本発明は、上述した問題点を解決するためになされたものであり、スライスした毛髪を挟持しつつ折り畳み、所望の時間保持して、前記毛髪に蛇行した波形形状（波ウェーブ）、特に緩やかに蛇行した波形形状を付与するパーマネント（波パーマ、波ウェーブパーマ）施術用具であって、適度の可撓性を有して折り畳むことが可能な、略矩形状の２枚のシートを備え、前記２枚のシートは、一方の短辺部が互いに揃うようにして上下に重ねられて、前記一方の短辺部において接着固定されており、前記一方の短辺部が互いに揃うようにして上下に重ねられた２枚のシートには、それぞれ複数の小貫通孔が、上下互いに若干重なり合うか、または上下互いに重なり合わないように形成されていることを特徴とする、前記パーマネント施術用具を提供することを目的とする。
【課題を解決するための手段】
【０００９】
本発明者は、鋭意研究の結果、上述した、あるいは後述する構成を有する略矩形状の２枚のシートを備えるパーマネント施術用具を用いて、スライスした毛髪を挟持しつつ折り畳み、所望の時間保持することにより蛇行した波形形状（波ウェーブ）、特に緩やかに蛇行した波形形状を付与するパーマネントを施術することができるとともに、パーマネントによる施術であるため、付与されるウェーブがいわゆる「波ウェーブ」という比較的緩やかな形状であるにもかかわらず、カール用のヘアアイロン（いわゆる「コテ」）を用いて施すといった、加熱処理による施術と比較して、当該蛇行した波形形状である「波ウェーブ」を長期間持続させることができること、当該２枚のシートが、一方の短辺部が互いに揃うようにして上下に重ねられて、その一方の短辺部において接着固定されているために、施術対象者によって力加減を増減する必要がなく、一定かつムラのない安定した施術が実現できること、当該２枚のシートに形成された複数の小貫通孔が、上下互いに若干重なり合うか、または上下互いに重なり合わないように形成されているため、毛髪に対してパーマネントウェーブ用剤（薬液）を均一に行き渡らせることができるとともに、余分なパーマネントウェーブ用剤（薬液）を自然に流し落とすことができること、本発明に係るパーマネント施術用具を装着したままでパーマネントウェーブ用剤（薬液）をしっかりと洗い流すことができること、折り畳み回数や折り畳む幅の組み合わせに応じて変則的な「波ウェーブ」を付与することができること、パーマネントの施術であるにも関わらず、ペーパーレスを実現できること、通常のパーマネントの施術において巻き込みの際に発生する毛髪のハネを生じさせず、施術効率を向上させることができること、パーマネントの施術により軟化した毛髪が洗髪時の摩擦により傷んでしまう事象を防止することができること、本発明に係るパーマネント施術用具が適度の可撓性を有した素材からなっているため、使用により本発明に係るパーマネント施術用具に歪みが生じた場合でも、熱めのお湯で洗浄してハンガーに掛ける、または雑誌などで１時間程度重しをするだけで歪みを解消させることができ、繰り返し洗浄して使用することができ、収納スペースを節約することができることを見出し、下記の各発明を完成した。
【００１０】
（１）スライスした毛髪を挟持しつつ折り畳み、所望の時間保持して、前記毛髪に蛇行した波形形状（波ウェーブ）を付与するパーマネント（波パーマ、波ウェーブパーマ）施術用具であって、適度の可撓性を有して折り畳むことが可能な、略矩形状の（一対の短辺部を有する）２枚のシートを備え、前記２枚のシートは、互いに一方の短辺部が揃う（一方の短辺部が互いに揃う）ようにして上下に重ねられて、前記一方の短辺部において接着固定されており、前記互いに一方の短辺部が揃う（一方の短辺部が互いに揃う）ようにして上下に重ねられた２枚のシートには、それぞれ複数の小貫通孔が、上下互いに若干重なり合うか、または上下互いに重なり合わないように形成されていることを特徴とする、前記パーマネント施術用具。
【００１１】
（２）前記２枚のシートの接着固定された一方の短辺部と、前記２枚のシートのうち長手方向の長さが長い方のシートの、接着固定された一方の短辺部側とは反対側に位置する他方の短辺部の、それぞれの両端近傍には、輪ゴム（ゴムバンド、ゴム輪、イラスティックバンド、Ｏリングなど）掛け用の掛止溝が形成されていることを特徴とする、（１）に記載のパーマネント施術用具。
【００１２】
（３）前記２枚のシートのうち長手方向の長さが長い方のシートにおいて、接着固定された一方の短辺部側とは反対側の、他方の短辺部には、毛髪の折れを防止する、略波形形状が連続した凹凸部が形成されていることを特徴とする、（１）または（２）に記載のパーマネント施術用具。
【００１３】
（４）前記２枚のシートは、長手方向の長さが同じ長さになるように形成され、互いに一対（両方）の短辺部がいずれも揃う（一対（両方）の短辺部がいずれも互いに揃う）ようにして上下に重ねられて、前記一対（両方）の短辺部のいずれか一方の短辺部において接着固定されており、前記互いに一対（両方）の短辺部がいずれも揃う（一対（両方）の短辺部がいずれも互いに揃う）ようにして上下に重ねられた２枚のシートには、それぞれ複数の小貫通孔が、上下互いに若干重なり合うか、または上下互いに重なり合わないように形成されていることを特徴とする、（１）に記載のパーマネント施術用具。
【００１４】
（５）前記２枚のシートの前記一対（両方）の短辺部の、いずれも両端近傍には、輪ゴム（ゴムバンド、ゴム輪、イラスティックバンド、Ｏリングなど）掛け用の掛止溝が形成されていることを特徴とする、（４）に記載のパーマネント施術用具。
【００１５】
（６）前記互いに一対（両方）の短辺部が揃う（一対（両方）の短辺部が互いに揃う）ようにして上下に重ねられた２枚のシートにおいて、接着固定された一方の短辺部側とは反対側の、他方の短辺部の端には、毛髪の折れを防止する、略波形形状が連続した凹凸部が、上下互いに若干重なり合うか、または上下互いに重なり合わないように形成されていることを特徴とする、（４）または（５）に記載のパーマネント施術用具。
【００１６】
（７）前記複数の小貫通孔の孔径Ｌが、０．３ｍｍ≦Ｌ≦１２．５ｍｍであることを特徴とする、（１）から（６）のいずれか一項に記載のパーマネント施術用具。
【発明の効果】
【００１７】
本発明に係る毛髪に蛇行した波形形状（波ウェーブ）を付与するパーマネント施術用具によれば、蛇行した波形形状（波ウェーブ）、特に緩やかに蛇行した波形形状を付与するパーマネントを施術することができるのはもちろん、付与されるウェーブがいわゆる「波ウェーブ」という比較的緩やかな形状であるにもかかわらず、加熱処理による施術と比較して当該蛇行した波形形状である「波ウェーブ」を長期間持続させることができ、施術対象者によって力加減を増減する必要がなく、一定かつムラのない安定した施術が実現でき、毛髪に対してパーマネントウェーブ用剤（薬液）を均一に行き渡らせることができるとともに、余分なパーマネントウェーブ用剤（薬液）を自然に流し落とすことができ、当該パーマネント施術用具を装着したままでパーマネントウェーブ用剤（薬液）をしっかりと洗い流すことができ、折り畳み回数や折り畳む幅の組み合わせに応じて変則的なウェーブを付与することができ、ペーパーレスを実現でき、通常のパーマネントの施術において巻き込みの際に発生する毛髪のハネを生じさせず、施術効率を向上させることができ、パーマネントの施術により軟化した毛髪が洗髪時の摩擦により傷んでしまう事象を防止することができ、当該パーマネント施術用具に歪みが生じた場合でも、熱めのお湯で洗ってハンガーに掛ける、または雑誌などで１時間程度重しをするだけで歪みを解消させることができ、繰り返し洗浄して使用することができ、扁平な形状で場所を取らないために収納スペースを節約することができる。
【図面の簡単な説明】
【００１８】
【図１】「蛇行した波形形状」と、「スパイラル（螺旋、渦巻）形状」との違いを示す図である。
【図２】第一実施形態におけるパーマネント施術用具１を構成する２枚のシートを表す図である。図中、（ａ）は長手方向の長さが短い方のシート（シート２）を表し、（ｂ）は長手方向の長さが長い方のシート（シート３）を表す。
【図３】第一実施形態のパーマネント施術用具１において、シート３と比較して長手方向の長さが短いシート２が上側に位置し、シート３が下側に位置して、シート２の一方の短辺部である短辺部２１とシート３の一方の短辺部である短辺部３１とが互いに揃うようにして上下に重ねられ、接着固定されている状態を表す図である。
【図４】第一実施形態のパーマネント施術用具１において、シート２と比較して長手方向の長さが長いシート３が上側に位置し、シート２が下側に位置して、シート３の一方の短辺部である短辺部３１とシート２の一方の短辺部である短辺部２１とが互いに揃うようにして上下に重ねられ、接着固定されている状態を表す図である。
【図５】第一実施形態のパーマネント施術用具１において、シート３と比較して長手方向の長さが短いシート２が上側に位置し、シート３が下側に位置して、短辺部２１と短辺部３１とが互いに揃うようにして上下に重ねられたシート２およびシート３に形成された複数の小貫通孔２２および小貫通孔３２が、それぞれ、上下互いに若干重なり合うか、または上下互いに重なり合わないように形成されていることを表す図である。図中、（ａ）は上下互いに若干重なり合う態様を表し、（ｂ）は上下互いに重なり合わない態様を表す。
【図６】第一実施形態のパーマネント施術用具１において、シート２と比較して長手方向の長さが長いシート３が上側に位置し、シート２が下側に位置して、短辺部３１と短辺部２１とが互いに揃うようにして上下に重ねられたシート３およびシート２に形成された複数の小貫通孔３２および小貫通孔２２が、それぞれ、上下互いに若干重なり合うか、または上下互いに重なり合わないように形成されていることを表す図である。図中、（ａ）は上下互いに若干重なり合う態様を表し、（ｂ）は上下互いに重なり合わない態様を表す。
【図７】第一実施形態のパーマネント施術用具１において、複数の小貫通孔２２および小貫通孔３２が、それぞれ上下互いに若干重なり合う場合の説明図である。
【図８】第一実施形態のパーマネント施術用具１において、掛止溝２４および掛止溝３４（掛止溝１２）、ならびに掛止溝３５を形成した態様を表す図である。
【図９】第一実施形態のパーマネント施術用具１において、掛止溝２４および掛止溝３４（掛止溝１２）、ならびに掛止溝３５を形成し、かつ、略波形形状が連続した凹凸部３６を形成した態様を表す図である。
【図１０】第二実施形態のパーマネント施術用具１を表す図である。
【図１１】第二実施形態のパーマネント施術用具１において、掛止溝２４および掛止溝３４（掛止溝１２）、ならびに掛止溝２５および掛止溝３５（掛止溝１３）を形成した態様を表す図である。
【図１２】第二実施形態のパーマネント施術用具１において、掛止溝２４および掛止溝３４（掛止溝１２）、ならびに掛止溝２５および掛止溝３５（掛止溝１３）を形成し、かつ、略波形形状が連続した凹凸部２６および凹凸部３６が、上下互いに若干重なり合うように形成されていることを表す図である。
【図１３】第二実施形態のパーマネント施術用具１において、掛止溝２４および掛止溝３４（掛止溝１２）、ならびに掛止溝２５および掛止溝３５（掛止溝１３）を形成し、かつ、略波形形状が連続した凹凸部２６および凹凸部３６が、上下互いに重なり合わないように形成されていることを表す図である。
【図１４】第二実施形態のパーマネント施術用具１において、略波形形状が連続した凹凸部２６および凹凸部３６が、上下互いに若干重なり合う場合の説明図である。
【図１５】第二実施形態のパーマネント施術用具１を用いた、パーマネントの施術のステップを表す図である。図中、（ａ）は毛髪をスライスしている状態を表し、（ｂ）はスライスした毛髪を第二実施形態のパーマネント施術用具１で挟持した状態を表し、（ｃ）は毛髪を第二実施形態のパーマネント施術用具１で挟持したまま、ダッカールピン（ダッカールクリップ）で挟んで固定した状態を表し、（ｄ）は毛髪を第二実施形態のパーマネント施術用具１で挟持したままで折り畳んでいる状態を表す。
【図１６】第二実施形態のパーマネント施術用具１を用いた、パーマネントの施術のステップを表す図である。図中、（ｅ）は毛髪を第二実施形態のパーマネント施術用具１で挟持して折り畳んだ後に、輪ゴムを掛けて保持している状態を表し、（ｆ）は毛髪を第二実施形態のパーマネント施術用具１で挟持し、折り畳み、輪ゴムを用いて保持した後にパーマネントウェーブ用剤（薬液）を散布している状態を表し、（ｇ）は毛髪を第二実施形態のパーマネント施術用具１で挟持し、折り畳み、輪ゴムを用いて保持し、パーマネントウェーブ用剤（薬液）をかけた後の仕上がり状態を表す。
【図１７】第二実施形態のパーマネント施術用具１を用いて、毛髪に対してパーマネントの施術を行った結果、付与された波形形状（波ウェーブ）のバリエーションを表す図である。図中、（ａ）は「１回のカール」を表し、（ｂ）は「１回の折り畳み」を表し、（ｃ）は「２回の折り畳み」を表し、（ｄ）は「３回の折り畳み」を表す。
【図１８】第二実施形態のパーマネント施術用具１を用いて、毛髪に対してパーマネントの施術を行った結果、付与された波形形状（波ウェーブ）のバリエーションを表す図である。図中、（ｅ）は「３回の変則折り畳み」を表し、（ｆ）は「４回の折り畳み」を表し、（ｇ）は「５回の折り畳み」を表す。
【発明を実施するための形態】
【００１９】
以下、本発明に係る毛髪に蛇行した波形形状を付与するパーマネント施術用具の実施形態について、図面を用いて詳細に説明する。本第一実施形態におけるパーマネント施術用具１は、スライスした毛髪を挟持しつつ折り畳み、所望の時間保持して、前記毛髪に蛇行した波形形状を付与するパーマネント施術用具１である。以下、各構成について詳細に説明する。
【００２０】
本第一実施形態において、「スライス」とは、櫛で毛髪に薄く細かく分け目をつけていくことをいう。また、本第一実施形態において、「所望の時間」とは、毛髪に好みの柔らかな波形を付与するために、施術対象である毛髪の髪質や選択する折り畳み回数、折り畳む方向、折り畳む幅などの諸条件に応じて適宜選択される、毛髪が折り畳まれた状態で保持される時間のことであり、それら諸条件に応じて選択される時間の長さは異なる。
【００２１】
本第一実施形態のパーマネント施術用具１が付与する「蛇行した波形形状（Ｆ１）」と、従来のカーリングロッドやヘアカーラーが付与する「スパイラル（螺旋、渦巻）形状（Ｆ２）」とは、図１に示すように明確に異なる。従来のカーリングロッドやヘアカーラーを用いたパーマネントの施術は、毛髪を「巻く」ための施術であるため、これらによって毛髪に付与される形状が、スパイラル（螺旋、渦巻）形状またはこれを毛先方向へ引き伸ばしてなる形状であるのに対し、本第一実施形態におけるパーマネント施術用具１を用いたパーマネントの施術は、毛髪を「折り畳む」ことが中心となる施術であることから、これによって毛髪に付与される形状は蛇行した波形形状が中心となる。一般に美容・理容業界では、パーマネントの施術によって毛髪に付与される形状を「ウェーブ」と称し、「ウェーブ」とは通常「波」を意味するところ、ここでいう「ウェーブ」は「蛇行した波形形状」を指すのではなく、「スパイラル（螺旋、渦巻）形状またはこれを毛先方向へ引き伸ばしてなる形状」を指している。
【００２２】
このように、本第一実施形態におけるパーマネント施術用具１を用いてパーマネントの施術がされた場合に、毛髪に対して蛇行した波形形状、特に緩やかに蛇行した波形形状を付与することができることが、本第一実施形態におけるパーマネント施術用具の有する大きな特徴である。なお、本第一実施形態におけるパーマネント施術用具によっても、その目的は別として、従来のパーマネント施術用具と同様に毛髪を「巻く」ことができる他、「曲げる」ことも「ひねる」こともできることは言うまでもない。また、本第一実施形態におけるパーマネント施術用具１を用いてパーマネントの施術がされた場合の、毛髪に付与される蛇行した波形形状は、毛髪を折り畳む時の折り畳む方向や織り込む幅によってそれぞれ異なる。
【００２３】
本第一実施形態のパーマネント施術用具１は２枚のシートを備えており、図２に示すように、本明細書ではシート２（図２（ａ））とシート３（図２（ｂ））とに分けて詳細に説明する。本第一実施形態において、シート２およびシート３は、いずれも適度の可撓性を有して折り畳むことが可能であり、かつ、図２に示すように、いずれも略矩形状を有している。本第一実施形態において、「適度の可撓性を有する」とは、スライスした毛髪を挟持しつつ折り畳み、所望の時間保持することができる程度の可撓性を有するという趣旨であり、そのような可撓性を実現できる素材としては、例えば、樹脂や合成ゴムを挙げることができ、特に合成樹脂を挙げることができる。可撓性を有する合成樹脂としては、例えば、ポリプロピレン（ＰＰ）、ポリエチレン（ＰＥ）、ポリエチレンテレフタラート（ＰＥＴ）、アクリロニトリル−ブタジエン−スチレン樹脂（ＡＢＳ）、ポリエステル系の熱可塑性エラストマーなどを挙げることができ、適宜選択して用いることができる。また、可撓性を有する硬化架橋性の合成樹脂も適宜選択して用いることができ、そのような硬化架橋性の合成樹脂としては、例えば、ウレタン樹脂、ウレタン変性エポキシ樹脂、フェノキシ樹脂、ウレタン架橋ポリエステル樹脂、シリコンゴム、フッ素ゴム、クロロプレン−フェノール系ゴム、ブチラール変性フェノール樹脂などを挙げることができる。本第一実施形態においては、好適な素材としてポリプロピレン（ＰＰ）が用いられているが、これに限定されない。また、本第一実施形態のパーマネント施術用具１におけるシート２およびシート３は、スライスした毛髪の状態が確認できるよう、半透明のものまたは透明のものが好ましいが、不透明なものであってもよい。以下、本第一実施形態のパーマネント施術用具１の説明に用いる図面は、半透明のものまたは透明のものの場合の図面となる。また、本第一実施形態において、「略矩形状」とは、正方形、長方形に加えて、角部が丸くなった四角形、対向する２辺部が円弧状となった四角形、各辺が多少歪曲している四角形、矩形の角部が面取りされた変形８角形、またはこれらの組み合わせなど、実質的に矩形状である全ての形状を含むものである。
【００２４】
また、本第一実施形態のパーマネント施術用具１において、シート２の厚みＴ１およびシート３の厚みＴ２は、スライスした毛髪を挟持しつつ折り畳み、所望の時間保持することができる程度の可撓性が実現できれば、本発明の特徴を損なわない範囲において、適宜設定することができ、特に限定されないが、より効果的、効率的にスライスした毛髪を挟持しつつ折り畳み、所望の時間保持することができるよう、０．１５ｍｍ≦Ｔ１、Ｔ２≦０．４５ｍｍとなるように設定するのが好ましい。
【００２５】
本第一実施形態のパーマネント施術用具１におけるシート２およびシート３は、図３に示すように、シート２の一方の短辺部である短辺部２１とシート３の一方の短辺部である短辺部３１とが互いに揃うようにして上下に重ねられ、当該シート２の短辺部２１とシート３の短辺部３１との重なりにおいて接着固定部１１が形成され、当該シート２の短辺部２１とシート３の短辺部３１において接着固定されている。本第一実施形態において、接着固定の手法は特に限定されず、当業者が適宜選択可能な手法で接着固定が実現され、接着固定部１１が形成される。なお、図３では、シート３と比較して長手方向の長さが短いシート２が上側に位置し、シート３が下側に位置する例が示されているが、本第一実施形態のパーマネント施術用具１においては、図４に示すように、シート２と比較して長手方向の長さが長いシート３が上側に位置し、シート２が下側に位置する態様（シート３と比較して長手方向の長さが短いシート２が下側に位置し、シート３が上側に位置する態様）も含む。すなわち、本第一実施形態において、シート２およびシート３は、いずれが上側に位置しても、下側に位置してもよく、シート２およびシート３について用いた「上側」または「下側」という用語は、本第一実施形態のパーマネント施術用具１において、特定の位置や方向を意味するものではなく、また本発明に別の制限を加えるものではない。
【００２６】
さらに、本第一実施形態おいて、「略矩形状」が正方形、角部が丸くなった正方形、対向する２辺部が円弧状となった正方形、正方形の角部が面取りされた変形８角形など、２対の辺の長さがいずれも同じ長さまたはほぼ同じ長さの場合は、４辺のうち、互いに揃うようにして上下に重ねることができる任意の１辺を選択し、短辺部２１または短辺部３１として接着固定部１１を形成することができる。
【００２７】
本第一実施形態のパーマネント施術用具１において、短辺部２１と短辺部３１とが互いに揃うようにして上下に重ねられたシート２およびシート３には、図２に示すように、それぞれ複数の小貫通孔２２および小貫通孔３２が形成されている。そして、それら複数の小貫通孔２２および小貫通孔３２は、毛髪に対してパーマネントウェーブ用剤（薬液）を均一に行き渡らせ、かつ余分なパーマネントウェーブ用剤（薬液）を自然に流し落とすことができるよう、図５および図６に示すように、短辺部２１と短辺部３１とが互いに揃うようにして上下に重ねられた状態で、それぞれ、上下互いに若干重なり合うか、または上下互いに重なり合わないように形成されている。本第一実施形態において、「若干重なり合う」とは、図７に示すように、小貫通孔２２と小貫通孔３２の重なった部分の面積Ｓ１が、小貫通孔２２の開口面積からＳ１を除いた面積Ｓ２および小貫通孔３２の開口面積からＳ１を除いた面積Ｓ３に対し、０＜Ｓ１＜Ｓ２、０＜Ｓ１＜Ｓ３となる場合をいう。
【００２８】
また、本第一実施形態のパーマネント施術用具１において、より効果的、効率的に毛髪に対してパーマネントウェーブ用剤（薬液）を均一に行き渡らせ、かつ、より効果的、効率的に余分なパーマネントウェーブ用剤（薬液）を自然に流し落とすことができるように、小貫通孔２２の孔径Ｌ１および小貫通孔３２の孔径Ｌ２は、０．３ｍｍ≦Ｌ１、Ｌ２≦１２．５ｍｍとなるように設定するのが好ましく、０．５ｍｍ≦Ｌ１、Ｌ２≦１０．０ｍｍとなるように設定するのがより好ましく、０．７ｍｍ≦Ｌ１、Ｌ２≦８．０ｍｍとなるように設定するのがさらに好ましく、１．０ｍｍ≦Ｌ１、Ｌ２≦５．０ｍｍとなるように設定するのがよりさらに好ましい。また、小貫通孔２２の孔径Ｌ１および小貫通孔３２の孔径Ｌ２とは、上述した範囲で異なる孔径であってもよいが、当該上下互いに若干重なり合うか、または上下互いに重なり合わないように形成することから、同じ孔径であることが好ましい。
【００２９】
本第一実施形態のパーマネント施術用具１を構成する、接着固定されたシート２の短辺部２１およびシート３の短辺部３１と、シート２およびシート３のうちの、シート２と比較して長手方向の長さが長いシート３の、接着固定部１１により接着固定された短辺部３１側とは反対側に位置する他方の短辺部３３の、それぞれの両端近傍には、安定した施術ができるよう、図８に示すように、各々、輪ゴム掛け用の掛止溝２４および掛止溝３４（本第一実施形態のパーマネント施術用具１において掛止溝１２）、ならびに掛止溝３５が形成されてもよい。なお、本第一実施形態において、「輪ゴム」には、いわゆる輪ゴム（ゴム輪）の他、ゴムバンド、イラスティックバンド、Ｏリングなどの輪状の弾性体が含まれる。なお、図８には、小貫通孔２２および小貫通孔３２が、それぞれ上下互いに重なり合わないように形成されている態様のみを表しているが、当該上下互いに若干重なり合う態様についても同様である。
【００３０】
本第一実施形態のパーマネント施術用具１において、掛止溝２４および掛止溝３４（本第一実施形態のパーマネント施術用具１において掛止溝１２）、ならびに掛止溝３５の形状は、スライスした毛髪を挟持しつつ折り畳み、輪ゴムを用いて所望の時間保持することが可能であれば、本発明の特徴を損なわない範囲において、適宜選択することができ、特に限定されないが、例えば、Ｕ字形、Ｖ字形、凹字形およびこれらを組み合わせた形状を挙げることができる。また、掛止溝２４および掛止溝３４（本第一実施形態のパーマネント施術用具１において掛止溝１２）の幅Ｗ１、掛止溝３５の幅Ｗ２、掛止溝２４および掛止溝３４（本第一実施形態のパーマネント施術用具１において掛止溝１２）の深さＤ１および掛止溝３５の深さＤ２も、本発明の特徴を損なわない範囲において、適宜設定することができ、特に限定されないが、より効果的、効率的にスライスした毛髪を挟持しつつ折り畳み、輪ゴムを用いて所望の時間保持することできて、より安定した施術ができるよう、掛止溝２４および掛止溝３４（本第一実施形態のパーマネント施術用具１において掛止溝１２）の幅および掛止溝３５の幅については２．５ｍｍ≦Ｗ１、Ｗ２≦８．５ｍｍとなるように設定するのが好ましく、掛止溝２４および掛止溝３４（本第一実施形態のパーマネント施術用具１において掛止溝１２）の深さおよび掛止溝３５の深さについては２．５ｍｍ≦Ｄ１、Ｄ２≦１０．０ｍｍとなるように設定するのが好ましい。
【００３１】
本第一実施形態のパーマネント施術用具１を構成する、シート２およびシート３のうちの、シート２と比較して長手方向の長さが長いシート３の、接着固定部１１により接着固定された短辺部３１側とは反対側に位置する他方の短辺部３３には、図９に示すように、毛髪の折れを防止するための、略波形形状が連続した凹凸部３６が形成されてもよい。なお、図９には、小貫通孔２２および小貫通孔３２が、それぞれ上下互いに重なり合わないように形成されている態様のみを表しているが、当該上下互いに若干重なり合う態様についても同様である。
【００３２】
本第一実施形態のパーマネント施術用具１において、凹凸部３６の凹凸の形状は、本発明の特徴を損なわない範囲において、適宜選択することができ、特に限定されず、例えば、Ｕ字形、逆Ｕ字型、Ｖ字形、逆Ｖ字型、凹字形、逆凹字形およびこれらを組み合わせた形状を挙げることができるが、毛髪の折れを防止するとともにパーマネントの施術を受ける者（施術対象者）の毛髪に与える影響を鑑みれば、Ｕ字形と逆Ｕ字型との組み合わせが好ましい。また、凹凸部３６の凹凸の幅Ｗ３および深さＤ３も、本発明の特徴を損なわない範囲において、適宜設定することができ、特に限定されないが、より効果的、効率的に毛髪の折れを防止するとともに施術対象者の毛髪へ与える影響を鑑みれば、それぞれ、２．０ｍｍ≦Ｗ３≦１５．０ｍｍ、２．５ｍｍ≦Ｄ３≦１０．０ｍｍとなるように設定するのが好ましい。
【００３３】
本第一実施形態におけるパーマネント施術用具１は、上述した各構成の他、本発明の特徴を損なわない範囲において、適宜構成を加えることができる。そのような構成としては、例えば、ダッカールピン（ダッカールクリップ）や輪ゴムなどを挙げることができる。
【００３４】
次に、本発明に係るパーマネント施術用具の第二実施形態の各構成について説明する。なお、本第二実施形態のうち、上述した第一実施形態の構成と同一若しくは相当する構成については同一の符号を付して再度の説明を省略する。
【００３５】
本第二実施形態のパーマネント施術用具１におけるシート２およびシート３は、図１０に示すように、長手方向の長さがいずれも同じ長さになるように形成され、互いに一対の短辺部がいずれも揃うようにして、換言すれば、シート２の一方の短辺部である短辺部２１と、シート３の一方の短辺部である短辺部３１とが、シート２の短辺部２１側とは反対側に位置するシート２の他方の短辺部である短辺部２３と、シート３の短辺部３１側とは反対側に位置するシート３の他方の短辺部である短辺部３３とが、それぞれ互いに揃うようにして、上下に重ねられて、一対の短辺部のいずれか一方の短辺部（図１０では、当該シート２の短辺部２１とシート３の短辺部３１との重なり）において接着固定部１１が形成され、当該一対の短辺部のいずれか一方の短辺部（図１０では、当該シート２の短辺部２１とシート３の短辺部３１）において接着固定されている。なお、本第二実施形態のパーマネント施術用具１における接着固定の手法や接着固定部１１の態様は、第一実施形態のパーマネント施術用具１の場合と同様である。また、以下の本第二実施形態のパーマネント施術用具１の説明に用いる図面は、半透明のものまたは透明のものの場合の図面である。
【００３６】
本第二実施形態のパーマネント施術用具１において、互いに一対の短辺部がいずれも揃うようにして（シート２の一方の短辺部である短辺部２１と、シート３の一方の短辺部である短辺部３１とが、シート２の短辺部２１側とは反対側に位置するシート２の他方の短辺部である短辺部２３と、シート３の短辺部３１側とは反対側に位置するシート３の他方の短辺部である短辺部３３とが、それぞれ互いに揃うようにして）上下に重ねられたシート２およびシート３には、図１０に示すように、それぞれ複数の小貫通孔２２および小貫通孔３２が形成されている。そして、それら複数の小貫通孔２２および小貫通孔３２は、毛髪に対してパーマネントウェーブ用剤（薬液）を均一に行き渡らせ、かつ余分なパーマネントウェーブ用剤（薬液）を自然に流し落とすことができるよう短辺部２１と短辺部３１とが互いに揃うようにして上下に重ねられた状態で、それぞれ、上下互いに若干重なり合うか、または上下互いに重なり合わないように形成されている。なお、図１０には、小貫通孔２２および小貫通孔３２が、それぞれ上下互いに重なり合わないように形成されている態様のみを表しているが、当該上下互いに若干重なり合う態様については、本第一実施形態におけるパーマネント施術用具１の場合と同様である。
【００３７】
本第二実施形態のパーマネント施術用具１を構成する、シート２の短辺部２１および短辺部２３、ならびにシート３の短辺部３１および短辺部３３の、それぞれの両端近傍には、安定した施術ができるよう、図１１に示すように、各々、輪ゴム掛け用の掛止溝２４および掛止溝３４（本第一実施形態のパーマネント施術用具１において掛止溝１２）、ならびに掛止溝２５および掛止溝３５（本第一実施形態のパーマネント施術用具１において掛止溝１３）が形成されてもよい。なお、本第二実施形態のパーマネント施術用具１における掛止溝２４および掛止溝３４（本第一実施形態のパーマネント施術用具１において掛止溝１２）、ならびに掛止溝２５および掛止溝３５（本第一実施形態のパーマネント施術用具１において掛止溝１３）の形状、幅、深さについては、第一実施形態のパーマネント施術用具１の場合と同様である。また、図１１には、小貫通孔２２および小貫通孔３２が、それぞれ上下互いに重なり合わないように形成されている態様のみを表しているが、当該上下互いに若干重なり合う態様については、本第一実施形態におけるパーマネント施術用具１の場合と同様である。
【００３８】
本第二実施形態のパーマネント施術用具１において、互いに一対の短辺部がいずれも揃うようにして（短辺部２１と短辺部３１とが、短辺部２３と短辺部３３とが、それぞれ互いに揃うようにして）上下に重ねられたシート２およびシート３において、接着固定部１１により接着固定された短辺部２１側および短辺部３１側とは反対側に位置する他方の短辺部２３および短辺部３３には、図１２および図１３に示すように、毛髪の折れを防止するための、略波形形状が連続した凹凸部２６および凹凸部３６が、上下互いに若干重なり合うか、または上下互いに重なり合わないように形成されてもよい。なお、本第二実施形態のパーマネント施術用具１における凹凸部２６および凹凸部３６の形状、幅、深さについては、第一実施形態のパーマネント施術用具１の場合と同様である。また、図１２および図１３には、小貫通孔２２および小貫通孔３２が、それぞれ上下互いに重なり合わないように形成されている態様のみを表しているが、当該上下互いに若干重なり合う態様については、本第一実施形態におけるパーマネント施術用具１の場合と同様である。
【００３９】
本第二実施形態において、「若干重なり合う」とは、図１４に示すように、凹凸部２６および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／２、０＜Ｗ４＜Ｗ６／２となる場合をいう。
【００４０】
次に、本発明に係るパーマネント施術用具の作用について、第二実施形態および関連する図面を用いて説明する。
【００４１】
図１５（ａ）に示すように、先ず、波形形状（波ウェーブ）を付与したい毛髪の量だけ、スライスして取り分ける。続いて図１５（ｂ）に示すように、スライスした毛髪を第二実施形態のパーマネント施術用具１で挟持する。この際、ペーパーを使用しなくて済むため、ペーパーレスを実現することができる。続いて図１５（ｃ）に示すように、毛髪を第二実施形態のパーマネント施術用具１で挟持したまま、ダッカールピン（ダッカールクリップ）で挟んで固定する。続いて図１５（ｄ）に示すように、毛髪を第二実施形態のパーマネント施術用具１で挟持したままで折り畳む。この際、通常のパーマネントの施術において巻き込みの際に発生する毛髪のハネが生じない他、様々なサイズのパーマネント施術用具１の組み合わせや折り畳み回数、折り畳む幅の組み合わせに応じて様々な「波ウェーブ」を毛髪に付与することができ、その組み合わせの選択を自由にすることができる。
【００４２】
続いて図１６（ｅ）に示すように、毛髪を第二実施形態のパーマネント施術用具１で挟持して折り畳んだ後に、輪ゴムを掛けて保持する。当該折り畳みが輪ゴムによる負荷のみであるため、毛髪に緩やかな「波ウェーブ」を施すことが可能となる。続いて図１６（ｆ）に示すように、毛髪を第二実施形態のパーマネント施術用具１で挟持し、折り畳み、輪ゴムを用いて保持した後に、パーマネントウェーブ用剤（薬液）を１液、２液の順で散布する。この際、複数の小貫通孔２２および小貫通孔３２に薬液がたっぷり浸透するよう、折り畳み部分の両面に散布する。このように散布しても、毛髪に対してパーマネントウェーブ用剤（薬液）を均一に行き渡らせることができるとともに、余分なパーマネントウェーブ用剤（薬液）を自然に流し落とすことができる。続いて図１６（ｇ）に示すように、パーマネントウェーブ用剤（薬液）を洗い流す前の状態となる。パーマネントウェーブ用剤（薬液）は、パーマネント施術用具１を装着したままでしっかりと洗い流すことができる。
【００４３】
図１７および図１８に示すように、従来のカーリングロッドやヘアカーラーによっても付与が可能である「１回のカール（図１７（ａ））」はもちろん、「１回の折り畳み（図１７（ｂ））」、「２回の折り畳み（図１７（ｃ））」、「３回の折り畳み（図１７（ｄ））」、「３回の変則折り畳み（図１８（ｅ））」、「４回の折り畳み（図１８（ｆ））」、「５回の折り畳み（図１８（ｇ））」など、バリエーションに富んだウェーブを毛髪に付与することができる。
【００４４】
以上のような第一実施形態および第二実施形態のパーマネント施術用具１によれば、以下の効果を得ることができる。
１．蛇行した波形形状（波ウェーブ）、特に緩やかに蛇行した波形形状を付与するパーマネントを施術することができる。
２．付与されるウェーブがいわゆる「波ウェーブ」という比較的緩やかな形状であるにもかかわらず、加熱処理による施術と比較して当該蛇行した波形形状である「波ウェーブ」を長期間持続させることができる。
３．施術対象者によって力加減を増減する必要がなく、一定かつムラのない安定した施術が実現できる。
４．毛髪に対してパーマネントウェーブ用剤（薬液）を均一に行き渡らせることができる。
５．余分なパーマネントウェーブ用剤（薬液）を自然に流し落とすことができる。
６．パーマネント施術用具１を装着したままでパーマネントウェーブ用剤（薬液）をしっかりと洗い流すことができる。
７．折り畳み回数や折り畳む幅の組み合わせに応じて変則的なウェーブを付与することができる。
８．ペーパーレスを実現できる。
９．通常のパーマネントの施術において巻き込みの際に発生する毛髪のハネを生じさせず、施術効率を向上させることができる。
１０．パーマネントの施術により軟化した毛髪が洗髪時の摩擦により傷んでしまう事象を防止することができる。
１１．パーマネント施術用具１に歪みが生じた場合でも、熱めのお湯で洗ってハンガーに掛ける、または雑誌などで１時間程度重しをするだけで歪みを解消させることができる。
１２．パーマネント施術用具１は、繰り返し洗浄して使用することができる。
１３．扁平な形状で場所を取らないために収納スペースを節約することができる。
【００４５】
なお、本発明に係るパーマネント施術用具は、上述した各実施形態に限定されるものではなく、本発明の特徴を損なわない範囲において、適宜変更することができる。
【００４６】
以下、本発明に係るパーマネント施術用具について、実施例に基づいて説明する。なお、本発明の技術的範囲は、これらの実施例によって示される特徴に限定されない。
【実施例】
【００４７】
＜実施例１＞
第二実施形態のパーマネント施術用具１を用いて、シート２の厚みＴ１およびシート３の厚みＴ２について比較検討した。
【００４８】
それぞれの厚みが、０．１０ｍｍ、０．１２ｍｍ、０．１５ｍｍ、０．１７ｍｍ、０．２０ｍｍ、０．２２ｍｍ、０．２５ｍｍ、０．２７ｍｍ、０．３０ｍｍ、０．３２ｍｍ、０．３５ｍｍ、０．３７ｍｍ、０．４０ｍｍ、０．４２ｍｍ、０．４５ｍｍ、０．４７ｍｍ、０．５０ｍｍ、０．５２ｍｍ、０．５５ｍ、０．５７ｍｍ、０．６０ｍｍであるシート２およびシート３を用意し、第二実施形態のパーマネント施術用具１を形成して、スライスした毛髪に対する挟持の度合い、折り畳みの度合い、一定時間の保持の度合いについて比較検討した。
【００４９】
その結果、シート２の厚みＴ１およびシート３の厚みＴ２が０．１０ｍｍ、０．１２ｍｍの場合、折り畳みの度合いがきつくなり、蛇行した波形形状（波ウェーブ）、特に緩やかに蛇行した波形形状を実現することが困難となった。一方、シート２の厚みＴ１およびシート３の厚みＴ２が０．４７ｍｍ、０．５０ｍｍ、０．５２ｍｍ、０．５５ｍ、０．５７ｍｍ、０．６０ｍｍの場合、折り畳みの状態を一定時間の保持することが困難であった。このことから、シート２の厚みＴ１およびシート３の厚みＴ２は、０．１５ｍｍ≦Ｔ１、Ｔ２≦０．４５ｍｍとなるように設定するのが好ましいことが明らかとなった。
【００５０】
＜実施例２＞
第二実施形態のパーマネント施術用具１を用いて、小貫通孔２２および小貫通孔３２が上下互いに若干重なり合う場合の重なり度合いについて比較検討した。
【００５１】
小貫通孔２２および小貫通孔３２が上下互いに重なり合わない場合、小貫通孔２２および小貫通孔３２の開口面積の１／４について上下互いに重なり合う場合、小貫通孔２２および小貫通孔３２の開口面積の１／３について上下互いに重なり合う場合、小貫通孔２２および小貫通孔３２の開口面積の１／２について上下互いに重なり合う場合、小貫通孔２２および小貫通孔３２の開口面積の２／３について上下互いに重なり合う場合について、毛髪に対してパーマネントウェーブ用剤（薬液）を均一に行き渡らせることができるか否か、余分なパーマネントウェーブ用剤（薬液）を自然に流し落とすことができるか否かについて比較検討した。
【００５２】
その結果、小貫通孔２２および小貫通孔３２の開口面積の１／２について上下互いに重なり合う場合、および小貫通孔２２および小貫通孔３２の開口面積の２／３について上下互いに重なり合う場合では、毛髪に対してパーマネントウェーブ用剤（薬液）を均一に行き渡らせるとともに、余分なパーマネントウェーブ用剤（薬液）を自然に流し落とすということが困難となった。このことから、小貫通孔２２と小貫通孔３２の重なった部分の面積Ｓ１が、小貫通孔２２の面積からＳ１を除いた面積Ｓ２および小貫通孔３２の面積からＳ１を除いた面積Ｓ３に対し、０＜Ｓ１＜Ｓ２、０＜Ｓ１＜Ｓ３となるように設定するのが好ましいことが明らかとなった。
【００５３】
＜実施例３＞
第二実施形態のパーマネント施術用具１を用いて、小貫通孔２２および小貫通孔３２の孔径について比較検討した。
【００５４】
それぞれの孔径が、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍ、１．５ｍｍ、２．０ｍｍ、２．５ｍｍ、３．０ｍｍ、３．５ｍｍ、４．０ｍｍ、４．５ｍｍ、５．０ｍｍ、５．５ｍｍ、６．０ｍｍ、６．５ｍｍ、７．０ｍｍ、７．５ｍｍ、８．０ｍｍ、８．５ｍｍ、９．０ｍｍ、９．５ｍｍ、１０．０ｍｍ、１０．５ｍｍ、１１．０ｍｍ、１１．５ｍｍ、１２．０ｍｍ、１２．５ｍｍ、１３．０ｍｍ、１３．５ｍｍ、１４．０ｍｍ、１４．５ｍｍ、１５．０ｍｍである小貫通孔２２が形成されたシート２および小貫通孔３２が形成されたシート３を用意し、第二実施形態のパーマネント施術用具１を形成して、毛髪に対してパーマネントウェーブ用剤（薬液）を均一に行き渡らせることができるか否か、余分なパーマネントウェーブ用剤（薬液）を自然に流し落とすことができるか否かについて比較検討した。
【００５５】
その結果、小貫通孔２２の孔径Ｌ１および小貫通孔３２の孔径Ｌ２が０．１ｍｍ、０．２ｍｍの場合、余分なパーマネントウェーブ用剤（薬液）を自然に流し落とすことが困難であったが、小貫通孔２２の孔径Ｌ１および小貫通孔３２の孔径Ｌ２が０．３ｍｍの場合に、余分なパーマネントウェーブ用剤（薬液）を自然に流し落とすことができるようになり、０．５ｍｍに至った場合に、より効果的、効率的に余分なパーマネントウェーブ用剤（薬液）を自然に流し落とすことができるようになり、０．７ｍｍに至った場合に、さらに効果的、効率的に余分なパーマネントウェーブ用剤（薬液）を自然に流し落とすことができるようになり、１．０ｍｍに至った場合に、よりさらに効果的、効率的に余分なパーマネントウェーブ用剤（薬液）を自然に流し落とすことができるようになった。
【００５６】
一方、小貫通孔２２の孔径Ｌ１および小貫通孔３２の孔径Ｌ２が１３．０ｍｍ、１３．５ｍｍ、１４．０ｍｍ、１４．５ｍｍ、１５．０ｍｍの場合、毛髪に対してパーマネントウェーブ用剤（薬液）を均一に行き渡らせることが困難であったが、小貫通孔２２の孔径Ｌ１および小貫通孔３２の孔径Ｌ２が１２．５ｍｍの場合に、毛髪に対してパーマネントウェーブ用剤（薬液）を均一に行き渡らせることができるようになり、１０．０ｍｍに至った場合に、より効果的、効率的に毛髪に対してパーマネントウェーブ用剤（薬液）を均一に行き渡らせることができるようになり、８．０ｍｍに至った場合に、さらに効果的、効率的に毛髪に対してパーマネントウェーブ用剤（薬液）を均一に行き渡らせることができるようになり、５．０ｍｍに至った場合に、よりさらに効果的、効率的に毛髪に対してパーマネントウェーブ用剤（薬液）を均一に行き渡らせることができるようになった。
【００５７】
このことから、小貫通孔２２の孔径Ｌ１および小貫通孔３２の孔径Ｌ２は、０．３ｍｍ≦Ｌ１、Ｌ２≦１２．５ｍｍとなるように設定するのが好ましく、０．５ｍｍ≦Ｌ１、Ｌ２≦１０．０ｍｍとなるように設定するのがより好ましく、０．７ｍｍ≦Ｌ１、Ｌ２≦８．０ｍｍとなるように設定するのがさらに好ましく、１．０ｍｍ≦Ｌ１、Ｌ２≦５．０ｍｍとなるように設定するのがよりさらに好ましいことが明らかとなった。
【００５８】
＜実施例４＞
第二実施形態のパーマネント施術用具１を用いて、輪ゴム掛け用の掛止溝２４、掛止溝２５、掛止溝３４、掛止溝３５の幅および深さについて比較検討した。
【００５９】
それぞれの幅が、１．５ｍｍ、２．０ｍｍ、２．５ｍｍ、３．０ｍｍ、３．５ｍｍ、４．０ｍｍ、４．５ｍｍ、５．０ｍｍ、５．５ｍｍ、６．０ｍｍ、６．５ｍｍ、７．０ｍｍ、７．５ｍｍ、８．０ｍｍ、８．５ｍｍ、９．０ｍｍ、９．５ｍｍ、１０．０ｍｍである掛止溝２４、掛止溝２５が形成されたシート２および掛止溝３４、掛止溝３５が形成されたシート３を用意し、第二実施形態のパーマネント施術用具１を形成し、また、それぞれの深さが、１．５ｍｍ、２．０ｍｍ、２．５ｍｍ、３．０ｍｍ、３．５ｍｍ、４．０ｍｍ、４．５ｍｍ、５．０ｍｍ、５．５ｍｍ、６．０ｍｍ、６．５ｍｍ、７．０ｍｍ、７．５ｍｍ、８．０ｍｍ、８．５ｍｍ、９．０ｍｍ、９．５ｍｍ、１０．０ｍｍ、１０．５ｍｍ、１１．０ｍｍ、１１．５ｍｍ、１２．０ｍｍである掛止溝２４、掛止溝２５が形成されたシート２および掛止溝３４、掛止溝３５が形成されたシート３を用意し、第二実施形態のパーマネント施術用具１を形成して、それぞれ、スライスした毛髪を挟持しつつ折り畳み、輪ゴムを用いて一定時間保持することできるか否かについて比較検討した。
【００６０】
その結果、掛止溝２４および掛止溝３４の幅Ｗ１、掛止溝２５および掛止溝３５の幅Ｗ２が１．５ｍｍ、２．０ｍｍの場合、輪ゴムを溝へ掛けづらく、作業効率が低下したが、掛止溝２４および掛止溝３４の幅Ｗ１、掛止溝２５および掛止溝３５の幅Ｗ２が２．５ｍｍの場合に、輪ゴムを溝へ掛けられるようになった。一方、掛止溝２４および掛止溝３４の幅Ｗ１、掛止溝２５および掛止溝３５の幅Ｗ２が９．０ｍｍ、９．５ｍｍ、１０．０ｍｍの場合、輪ゴムの掛かりにムラができ、輪ゴムの掛かり具合によっては、スライスした毛髪を挟持しつつ折り畳んだ状態を一定時間保持できない場合が散見されたが、掛止溝２５および掛止溝３５の幅Ｗ２が８．５ｍｍとなると、それが解消された。このことから、掛止溝２４および掛止溝３４の幅Ｗ１、掛止溝２５および掛止溝３５の幅Ｗ２は、２．５ｍｍ≦Ｗ１、Ｗ２≦８．５ｍｍとなるように設定するのが好ましいことが明らかとなった。
【００６１】
また、掛止溝２４および掛止溝３４の深さＤ１、掛止溝２５および掛止溝３５の深さＤ２が１．５ｍｍ、２．０ｍｍの場合、溝が浅すぎるために輪ゴムが溝に掛かりづらく、作業効率が低下したが、掛止溝２４および掛止溝３４の深さＤ１、掛止溝２５および掛止溝３５の深さＤ２が２．５ｍｍの場合に、溝に掛けた輪ゴムが安定するようになった。一方、掛止溝２４および掛止溝３４の深さＤ１、掛止溝２５および掛止溝３５の深さＤ２が１０．５ｍｍ、１１．０ｍｍ、１１．５ｍｍ、１２．０ｍｍの場合、溝の幅が大きい場合と同様、輪ゴムの掛かりにムラができ、輪ゴムの掛かり具合によっては、スライスした毛髪を挟持しつつ折り畳んだ状態を一定時間保持できない場合が散見されたが、掛止溝２４および掛止溝３４の深さＤ１、掛止溝２５および掛止溝３５の深さＤ２が１０．０ｍｍとなると、それが解消された。このことから、掛止溝２４および掛止溝３４の深さＤ１、掛止溝２５および掛止溝３５の深さＤ２は、２．５ｍｍ≦Ｄ１、Ｄ２≦１０．０ｍｍとなるように設定するのが好ましいことが明らかとなった。
【００６２】
＜実施例５＞
第二実施形態のパーマネント施術用具１を用いて、略波形形状が連続した凹凸部２６および凹凸部３６の凹凸の幅および凹の深さについて比較検討した。
【００６３】
それぞれの幅が、１．０ｍｍ、１．５ｍｍ、２．０ｍｍ、２．５ｍｍ、３．０ｍｍ、３．５ｍｍ、４．０ｍｍ、４．５ｍｍ、５．０ｍｍ、５．５ｍｍ、６．０ｍｍ、６．５ｍｍ、７．０ｍｍ、７．５ｍｍ、８．０ｍｍ、８．５ｍｍ、９．０ｍｍ、９．５ｍｍ、１０．０ｍｍ、１０．５ｍｍ、１１．０ｍｍ、１１．５ｍｍ、１２．０ｍｍ、１２．５ｍｍ、１３．０ｍｍ、１３．５ｍｍ、１４．０ｍｍ、１４．５ｍｍ、１５．０ｍｍ、１５．５ｍｍ、１６．０ｍｍ、１６．５ｍｍ、１７．０ｍｍ、１７．５ｍｍ、１８．０ｍｍである凹凸部２６が形成されたシート２および凹凸部３６が形成されたシート３を用意し、第二実施形態のパーマネント施術用具１を形成し、それぞれの深さが、１．０ｍｍ、１．５ｍｍ、２．０ｍｍ、２．５ｍｍ、３．０ｍｍ、３．５ｍｍ、４．０ｍｍ、４．５ｍｍ、５．０ｍｍ、５．５ｍｍ、６．０ｍｍ、６．５ｍｍ、７．０ｍｍ、７．５ｍｍ、８．０ｍｍ、８．５ｍｍ、９．０ｍｍ、９．５ｍｍ、１０．０ｍｍ、１０．５ｍｍ、１１．０ｍｍ、１１．５ｍｍ、１２．０ｍｍ、１２．５ｍｍ、１３．０ｍｍである凹凸部２６が形成されたシート２および凹凸部３６が形成されたシート３を用意し、第二実施形態のパーマネント施術用具１を形成して、それぞれ、毛髪の折れの防止度合いと施術対象者の毛髪に与える影響について比較検討した。
【００６４】
その結果、凹凸部２６および凹凸部３６の凹凸の幅Ｗ３が１．０ｍｍ、１．５ｍｍの場合、毛髪の折れはないものの、施術対象者の毛髪に対してそれぞれの凸部が刺さり込んでしまったが、凹凸部２６および凹凸部３６の凹凸の幅Ｗ３が２．０ｍｍの場合には、毛髪の折れも、施術対象者の毛髪に対してそれぞれの凸部が刺さり込むことはなかった。一方、凹凸部２６および凹凸部３６の凹凸の幅Ｗ３が１５．５ｍｍ、１６．０ｍｍ、１６．５ｍｍ、１７．０ｍｍ、１７．５ｍｍ、１８．０ｍｍの場合は、毛髪の折れが散見されたが、凹凸部２６および凹凸部３６の凹凸の幅Ｗ３が１５．０ｍｍとなると、それが解消された。このことから、凹凸部２６および凹凸部３６の凹凸の幅Ｗ３は、２．０ｍｍ≦Ｗ３≦１５．０ｍｍとなるように設定するのが好ましいことが明らかとなった。
【００６５】
また、凹凸部２６および凹凸部３６の凹の深さＤ３が１．０ｍｍ、１．５ｍｍ、２．０ｍｍの場合、毛髪の折れが散見されたが、凹凸部２６および凹凸部３６の凹の深さＤ３が２．５ｍｍの場合に、毛髪の折れが見られなくなった。一方、凹凸部２６および凹凸部３６の凹の深さＤ３が１０．５ｍｍ、１１．０ｍｍ、１１．５ｍｍ、１２．０ｍｍ、１２．５ｍｍ、１３．０ｍｍの場合、施術対象者の毛髪に対してそれぞれの凸部が刺さり込むのが散見されたが、凹凸部２６および凹凸部３６の凹の深さＤ３が１０．０ｍｍとなると、それが解消された。このことから、凹凸部２６および凹凸部３６の凹の深さＤ３は、２．５ｍｍ≦Ｄ３≦１０．０ｍｍとなるように設定するのが好ましいことが明らかとなった。
【００６６】
＜実施例６＞
第二実施形態のパーマネント施術用具１を用いて、凹凸部２６の凹凸および凹凸部３６の凹凸が上下互いに若干重なり合う場合の重なり度合いについて比較検討した。
【００６７】
凹凸部２６の凹凸および凹凸部３６の凹凸が上下互いに重なり合わない場合、凹凸部２６の凹凸および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／４、０＜Ｗ４＜Ｗ６／４となる場合、凹凸部２６の凹凸および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／３、０＜Ｗ４＜Ｗ６／３となる場合、凹凸部２６の凹凸および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／２、０＜Ｗ４＜Ｗ６／２となる場合、凹凸部２６の凹凸および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５×２／３、０＜Ｗ４＜Ｗ６×２／３となる場合、凹凸部２６の凹凸および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５×３／４、０＜Ｗ４＜Ｗ６×３／４となる場合について、それぞれ、毛髪の折れの防止度合いと施術対象者の毛髪に与える影響について比較検討した。
【００６８】
その結果、凹凸部２６および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／２、０＜Ｗ４＜Ｗ６／２となる場合に、毛髪の折れが見受けられなかったとともに、施術対象者の毛髪に刺さり込むこともなかった。このことから、凹凸部２６および凹凸部３６の凹凸が重なった部分の幅Ｗ４と、凹凸部２６の凹凸の幅Ｗ５および凹凸部３６の凹凸の幅Ｗ６との関係が、０＜Ｗ４＜Ｗ５／２、０＜Ｗ４＜Ｗ６／２となるように設定するのが好ましいことが明らかとなった。
【符号の説明】
【００６９】
１  パーマネント施術用具
２  シート
３  シート
１１  接着固定部
１２  （パーマネント施術用具１において一方の短辺部に形成された）掛止溝
１３  （パーマネント施術用具２において一方の短辺部に形成された）掛止溝
２１  （シート２における）一方の短辺部
２２  （シート２における）小貫通孔
２３  （シート２における）他方の短辺部
２４  （シート２において一方の短辺部に形成された）掛止溝
２５  （シート２において他方の短辺部に形成された）掛止溝
２６  （シート２において他方の短辺部に形成された）凹凸部
３１  （シート３における）一方の短辺部
３２  （シート３における）小貫通孔
３３  （シート３における）他方の短辺部
３４  （シート３において一方の短辺部に形成された）掛止溝
３５  （シート３において他方の短辺部に形成された）掛止溝
３６  （シート３において他方の短辺部に形成された）凹凸部
Ｔ１、Ｔ２  シートの厚み
Ｓ１  小貫通孔２２と小貫通孔３２の重なった部分の面積
Ｓ２  小貫通孔２２の開口面積からＳ１を除いた面積
Ｓ３  小貫通孔３２の開口面積からＳ１を除いた面積
Ｌ１、Ｌ２  小貫通孔の孔径
Ｗ１、Ｗ２  掛止溝の幅
Ｄ１、Ｄ２  掛止溝の深さ
Ｗ３  凹凸部の凹凸の幅
Ｄ３  凹凸部の凹の深さ
Ｗ４  凹凸が重なった部分の幅
Ｗ５、Ｗ６  凹凸の幅
【図１】
2019129952.tif 000003
【図２】
2019129952.tif 000004
【図３】
2019129952.tif 000005
【図４】
2019129952.tif 000006
【図５】
2019129952.tif 000007
【図６】
2019129952.tif 000008
【図７】
2019129952.tif 000009
【図８】
2019129952.tif 000010
【図９】
2019129952.tif 000011
【図１０】
2019129952.tif 000012
【図１１】
2019129952.tif 000013
【図１２】
2019129952.tif 000014
【図１３】
2019129952.tif 000015
【図１４】
2019129952.tif 000016
【図１５】
2019129952.tif 000017
【図１６】
2019129952.tif 000018
【図１７】
2019129952.tif 000019
【図１８】
2019129952.tif 000020
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
櫛で薄く細かく分け目をつけた毛髪を、２枚のシートの間に、毛髪が短辺部に対して略垂直な方向となるように挟持しつつ、折り畳み線が前記短辺部と略平行となるように折り畳み、所望の時間保持して、前記毛髪に蛇行した波形形状を付与するパーマネント施術用具であって、
適度の可撓性を有して折り畳むことが可能な、略矩形状の２枚のシートを備え、
前記２枚のシートは、互いに一方の短辺部が揃うようにして上下に重ねられて、前記一方の短辺部において接着固定されており、
前記互いに一方の短辺部が揃うようにして上下に重ねられた２枚のシートには、それぞれ複数の小貫通孔が、毛髪に対して薬液を均一に行き渡らせ、かつ余分な薬液を自然に流し落とすように、上下互いに若干重なり合うか、または上下互いに重なり合わないように形成されていることを特徴とする、前記パーマネント施術用具。
【請求項２】
前記２枚のシートの接着固定された一方の短辺部と、前記２枚のシートのうち長手方向の長さが長い方のシートの、接着固定された一方の短辺部側とは反対側に位置する他方の短辺部の、それぞれの両端近傍には、輪ゴム掛け用の掛止溝が形成されていることを特徴とする、請求項１に記載のパーマネント施術用具。
【請求項３】
前記２枚のシートのうち長手方向の長さが長い方のシートにおいて、接着固定された一方の短辺部側とは反対側の、他方の短辺部には、毛髪の折れを防止する、略波形形状が連続した凹凸部が形成されていることを特徴とする、請求項１または請求項２に記載のパーマネント施術用具。
【請求項４】
前記２枚のシートは、長手方向の長さが同じ長さになるように形成され、互いに一対の短辺部がいずれも揃うようにして上下に重ねられて、前記一対の短辺部のいずれか一方の短辺部において接着固定されており、前記互いに一対の短辺部がいずれも揃うようにして上下に重ねられた２枚のシートには、それぞれ複数の小貫通孔が、上下互いに若干重なり合うか、または上下互いに重なり合わないように形成されていることを特徴とする、請求項１に記載のパーマネント施術用具。
【請求項５】
前記２枚のシートの前記一対の短辺部の、いずれも両端近傍には、輪ゴム掛け用の掛止溝が形成されていることを特徴とする、請求項４に記載のパーマネント施術用具。
【請求項６】
前記互いに一対の短辺部がいずれも揃うようにして上下に重ねられた２枚のシートにおいて、接着固定された一方の短辺部側とは反対側の、他方の短辺部の端には、毛髪の折れを防止する、略波形形状が連続した凹凸部が、上下互いに若干重なり合うか、または上下互いに重なり合わないように形成されていることを特徴とする、請求項４または請求項５に記載のパーマネント施術用具。
【請求項７】
前記複数の小貫通孔の孔径Ｌが、０．３ｍｍ≦Ｌ≦１２．５ｍｍであることを特徴とする、請求項１から請求項６のいずれか一項に記載のパーマネント施術用具。
【手続補正２】
【補正対象書類名】明細書
【補正対象項目名】００４１
【補正方法】変更
【補正の内容】
【００４１】
図１５（ａ）に示すように、先ず、波形形状（波ウェーブ）を付与したい毛髪の量だけ、スライスして取り分ける。続いて図１５（ｂ）に示すように、櫛で薄く細かく分け目をつけた毛髪を第二実施形態のパーマネント施術用具１で挟持する。この際、ペーパーを使用しなくて済むため、ペーパーレスを実現することができる。続いて図１５（ｃ）に示すように、毛髪を、第二実施形態のパーマネント施術用具１の２枚のシートであるシート２およびシート３の間に、毛髪が短辺部２３および短辺部３３に対して略垂直な方向となるように挟持したまま、ダッカールピン（ダッカールクリップ）で挟んで固定する。続いて図１５（ｄ）に示すように、毛髪を第二実施形態のパーマネント施術用具１で挟持したままで、折り畳み線が短辺部２３および短辺部３３と略平行となるように折り畳む。この際、通常のパーマネントの施術において巻き込みの際に発生する毛髪のハネが生じない他、様々なサイズのパーマネント施術用具１の組み合わせや折り畳み回数、折り畳む幅の組み合わせに応じて様々な「波ウェーブ」を毛髪に付与することができ、その組み合わせの選択を自由にすることができる。